(57)【要約】【課題】使用時に指にしっかりとフィットし、ずれたり、外れたりしにくい歯磨きシートを提供する。【解決手段】内面シート２２と、内面シート２２の外側に積層された外面シート２１とが接合部６を介して一体化され、この一体化された２つの内面シート２２間に挿入部４を形成する不織布シート２と、挿入部４に入れられた指を跨いで左右対称の位置に、指の引き抜かれる方向に向かって広がるよう不織布シート２が融着されてなり、指先側先端と指とが接触した状態において、挿入部４から指が引き抜かれる方向に力が加えられると、指が抜けないよう力を作用させる融着部３と、挿入部４から入れられた指が引き抜かれる方向に、不織布シート２が、入れられる指とは異なる指によって挟持されるよう延伸された挟持部５とを備える。【選択図】図１
2019010251.tif 000002
【特許請求の範囲】
【請求項１】
シート状基材を融着して形成される指サック形状の挿入部を有し、該挿入部を介して指に嵌めて口腔内を清掃する歯磨きシートであって、
内面シートと、該内面シートの外側に積層された外面シートとが接合部を介して一体化され、該一体化された２つの内面シート間に前記挿入部を形成する不織布シートと、
前記挿入部に入れられた指を跨いで左右対称の位置に、指の引き抜かれる方向に向かって広がるよう前記不織布シートが融着されてなり、指先側先端と指とが接触した状態において、前記挿入部から指が引き抜かれる方向に力が加えられると、指が抜けないよう力を作用させる融着部と、
前記挿入部から入れられた指が引き抜かれる方向に、前記不織布シートが、入れられる指とは異なる指によって挟持されるよう延伸された挟持部とを備え、
前記内面シートと前記外面シートとの接合部は、前記挟持部に設けられていることを特徴とする歯磨きシート。
【請求項２】
請求項１に記載の歯磨きシートであって、
前記内面シートは、ポリプロピレン、ポリエチレン、ポリエステル、ナイロン、アクリルのうち少なくともいずれか１つを含み、目付が１５ｇ／ｍ２以上３０ｇ／ｍ２以下の不織布からなり、
前記外面シートは、レーヨン、コットン、ポリエステル、パルプのうち少なくともいずれか１つを含み、目付が３０ｇ／ｍ２以上１００ｇ／ｍ２以下の不織布からなり、
前記挟持部は、長さ２０ｍｍ以上８０ｍｍ以下であることを特徴とする歯磨きシート。
【発明の詳細な説明】
【技術分野】
【０００１】
本発明は、手指に装着されて歯や歯茎の清掃やマッサージに供される歯磨きシートに関する。
【背景技術】
【０００２】
乳幼児や介護を必要とする人の口腔内の清掃には、歯磨きシートがよく用いられている。この歯磨きシートは、貼り合わされて袋状に形成された二枚の生地の間に指を嵌めて用いられ、歯磨きシートを嵌めた指を口腔内で細かく動かすことで、口腔内の清掃やマッサージを行うものである。
【０００３】
しかしながら、上記のような従来の歯磨きシートは、ただ袋状に形成しているだけで、指から外れやすく、外れた歯磨きシートは、誤飲すると窒息などの虞があり大変危険であった。また、指にフィットしない製品は、指からずれて、使用しにくく、結果綺麗に歯を磨けないという問題があった。
【０００４】
このような問題を解消するために、例えば特許文献１には、指を挿入して対象部位を摺擦するための鞘状をした指サック部と、指サック部に連なる係止部とを形成し、係止部に、指サック部に挿入する指とは異なる指を挿入、係止させるための係止口を設けた指サック式摺擦具が開示されている。
【０００５】
この技術によれば、指サック式摺擦具は、係止口を設けたことにより、使用時にずれ動いたり指から抜け落ちたりすることがない。しかしながら、手や指の大きさの違いに合わせて、寸法や位置の異なる製品を用意しなければならず、製品の種類が増えることにより製造コストが増えるという問題や、販売業者によっては需要の低いサイズの製品が取り扱われず、需要者が購入しにくくなるという問題があった。
【０００６】
このような問題を解消するための技術として、例えば特許文献２には、前後に長い主生地と、主生地の前端形状と一致する従生地とからなり、従生地を主生地の前端部に重ねたうえで、従生地の後端部を除く両生地の外縁を結着することにより、手指挿入用の後端開口を備える袋状の鞘部を形成し、鞘部よりも後方寄りの主生地の左右方向の中央部位には、鞘部に挿入された手指以外の複数本の指を掛けて、鞘部の手指からの抜け落ちを阻止するためのスリットが、前後方向に長く設けられた口腔清掃具が開示されている。
【０００７】
この技術によれば、口腔清掃具は、手や指の大きさとは無関係に、手指に装着することが可能であり、安価に量産できる。しかしながら、使用方法が複雑で分かりにくく、使用できるのが片面のみであるため、一回の使用につき、数枚の口腔清掃具が必要になるという問題があった。
【先行技術文献】
【特許文献】
【０００８】
【特許文献１】特開２０００−１２６２２５号公報
【特許文献２】特開２００５−３３４０６５号公報
【発明の概要】
【発明が解決しようとする課題】
【０００９】
本発明は、従来のこのような問題点に鑑みてなされたものである。本発明の目的の一は、使用方法が感覚的に分かりやすく、製造コストが増えず、使用者の指のサイズによらず、使用時に指にしっかりとフィットし、ずれたり、外れたりしにくい歯磨きシートを提供することにある。
【課題を解決するための手段及び発明の効果】
【００１０】
本発明の第１の側面に係る歯磨きシートによれば、シート状基材を融着して形成される指サック形状の挿入部を有し、該挿入部を介して指に嵌めて口腔内を清掃する歯磨きシートであって、内面シートと、該内面シートの外側に積層された外面シートとが接合部を介して一体化され、該一体化された２つの内面シート間に前記挿入部を形成する不織布シートと、前記挿入部に入れられた指を跨いで左右対称の位置に、指の引き抜かれる方向に向かって広がるよう前記不織布シートが融着されてなり、指先側先端と指とが接触した状態において、前記挿入部から指が引き抜かれる方向に力が加えられると、指が抜けないよう力を作用させる融着部と、前記挿入部から入れられた指が引き抜かれる方向に、前記不織布シートが、入れられる指とは異なる指によって挟持されるよう延伸された挟持部とを備え、前記内面シートと前記外面シートとの接合部は、前記挟持部に設けることができる。前記構成により、融着部を設けたことによって、使用者が、挿入部に入れた指を引き抜く方向に動かした際に、融着部が指に引っ掛かり、歯磨きシートが指から抜けるのを防ぐことができる。
【００１１】
これにより、歯磨きシートをより安定して保持することができ、歯磨きシートを誤飲し窒息する虞を減らすことができる。また、歯磨きシートの形状から感覚的に使用方法が理解でき、かつ、使用方法が簡単なので、初めて使用する場合であっても容易に使用できる。さらに、融着部は、挿入部を融着して形成する工程と同じ工程で形成できるため、製造工程が増えないので、機能を向上させながらもコスト高にならない。
【００１２】
加えて、挟持部を設け、少なくとも親指又は中指で押さえられるようにしたため、強い力がかかったとしても歯磨きシートが外れることがなく、内面シートと外面シートとが、開口端の近傍において接合されているので、指を間違って内面シートと外面シートとの間に入れることがない。
【００１３】
さらにまた、本発明の第２の側面に係る歯磨きシートによれば、前記内面シートは、ポリプロピレン、ポリエチレン、ポリエステル、ナイロン、アクリルのうち少なくともいずれか１つを含み、目付が１５ｇ／ｍ２以上３０ｇ／ｍ２以下の不織布からなり、前記外面シートは、レーヨン、コットン、ポリエステル、パルプのうち少なくともいずれか１つを含み、目付が３０ｇ／ｍ２以上１００ｇ／ｍ２以下の不織布からなり、前記挟持部は、長さ２０ｍｍ以上８０ｍｍ以下であるよう構成できる。前記構成により、保水率の高い外面シートは歯磨き剤をよく含むことができ、指と接触し、保水率の低い内面シートは薬剤を含みにくくすることができるため、手に付着する歯磨き剤の量を減らし、肌触りをよくすることができる。
【図面の簡単な説明】
【００１４】
【図１】本発明に係る歯磨きシートの実施例１を示す構成図である。
【図２】本発明に係る歯磨きシートの実施例１を示す模式正面図である。
【図３】図２におけるＡ−Ａ'模式断面図である。
【図４】図２におけるＡ−Ａ'断面を使用時に開口した状態を示す図である。
【図５】図２におけるＢ−Ｂ'模式断面図である。
【図６】本発明に係る歯磨きシートを示す模式正面図であって、図６Ａは、実施例２を、図６Ｂは、実施例３を、図６Ｃは、実施例４を、図６Ｄは、実施例５を、図６Ｅは、実施例６を、図６Ｆは、実施例７を、図６Ｇは、実施例８を、図６Ｈは、実施例９示す図である。
【図７】本発明に係る歯磨きシートの実施例１の使用例を示す図である。
【発明を実施するための形態】
【００１５】
以下、本発明の実施の形態を図面に基づいて説明する。ただし、以下に示す実施の形態は、本発明の技術思想を具体化するための歯磨きシート１を例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（歯磨きシート１の構成）
【００１６】
本発明に係る歯磨きシート１の実施例１を示す構成図を図１に示す。この図に示すように、実施例１に係る歯磨きシート１は、挿入部４を形成する不織布シート２と、挿入部４が形成されるよう熱融着された複数のハの字形状の融着部３と、表向きにも裏向きにも嵌められ、挿入部４に入れられる指とは異なる指によって挟持されるよう、指を引き抜く方向に、両面が同じ長さになるよう延伸された挟持部５とを主要部として備えている。なお、融着部３は、ハの字形状に限られず、歯磨きシート１の外形に沿って線状に接合されていたり、半円状に接合されていたりと種々の形態を採り得るが、挿入部４を形成するための融着部及び指を引き抜きにくくするストッパとして機能させるための融着部の両者を含んでいる。ここでは、ハの字形状を例に説明し、種々の形態については変形例として後述する。
【００１７】
不織布シート２は、歯磨き剤が含浸され、口腔内の汚れを拭き取るための二層の外面シート２１、及び、外面シート２１の内側に積層され、歯磨き剤の指への付着を防ぐための二層の内面シート２２の四層のシートからなり、外面シート２１と内面シート２２とが接合部６を介して融着されて一体化されており、挿入される指を挟んでそれぞれが対称となるよう配されている。本明細書においては、便宜上、一体化された二組のシートのうち、一方を第一シート、他方を第二シートという。なお、不織布シート２は、前述のような四層構造に限られず、外面シート２１のみからなる二層構造としてもよいし、外面シート２１及び内面シート２２の他に機能性のあるシートなどを加えた多層構造としてもよい。
【００１８】
本発明に係る歯磨きシート１の実施例１を示す模式正面図を図２に、図２におけるＡ−Ａ'模式断面図を図３に、図２におけるＡ−Ａ'断面を使用時に開口した状態を示す図を図４に、図２におけるＢ−Ｂ'模式断面図を図５に示す。以下、図１〜図５に基づいて、歯磨きシート１の構成について具体的に説明する。
（外面シート２１）
【００１９】
外面シート２１は、歯磨きシート１の外面をなす指形状の不織布シート２で、歯磨き剤が含浸されている。歯磨き剤と、シート表面の凹凸とにより、口腔内の清掃及びマッサージに使用される部材である。また、外面シート２１の挟持部５は、歯磨きシート１が指から抜けないよう挿入された指以外の指で挟持される部材である。
【００２０】
外面シート２１は、図１〜図５に示すように、同一形状の第一外面シート２１１と第二外面シート２１２とからなり、全長１２０ｍｍ、幅５０ｍｍで先端に向かってやや細くなる指形状に断裁された、レーヨン，コットン，ポリエステル，パルプ等のうち少なくともいずれか一つを含む不織布シート２である。外面シート２１は、意図しない化学物質が使用者の体内に侵入するのを防止するため、スパンボンド不織布、又は、水流絡合不織布、サーマルボンド不織布が好ましい。また、外面シート２１は、表面に凹凸を有していると、汚れを落としやすくできるので、メッシュ素材が好適である。なお、外面シート２１は、エンボス加工などにより表面に凹凸を設けてもよく、穴加工によって複数の貫通穴を設けてもよい。
【００２１】
第一外面シート２１１及び第二外面シート２１２は、後述する第一内面シート２２１及び第二内面シート２２２の外側に積層され、内面シート２２と指の形状に一体に融着されて挿入部４を形成すると共に、挿入部４から入れられた指が引き抜かれる方向に延伸され、第一内面シート２２１及び第二内面シート２２２が融着されておらず、歯磨きシート１装着時に掌側と手の甲側に分かれ、歯磨きシート１が指から抜けないよう挿入された指以外の指で挟持される挟持部５を形成する。
【００２２】
外面シート２１の繊維は、保水率が６００ｗｔ％以上１５００ｗｔ％以下になるよう親水処理されている。外面シート２１の保水率は、６００ｗｔ％を下回ると、歯磨き剤の含浸量が低下し、口腔内の清掃効果が少なくなる。保水率の上限値は、不織布自体が吸収できる水分量の限界値を想定している。
【００２３】
繊維を親水処理する方法としては、一般的に紙おむつや生理用ナプキンの不織布繊維の親水性化のために採用されている方法によって行うことができる。例えば、熱可塑性繊維からなる長繊維不織布であって、前記長繊維不織布を構成する熱可塑性繊維には親水化剤が繊維重量に対し、０．０５〜５．０ｗｔ％含有され、かつ親水化油剤が長繊維不織布重量に対し、０．１〜２．０ｗｔ％付着されてなる親水性長繊維不織布がある（特開２００３−２０１６７０号公報参照。）。なお、前述の実施形態では、外面シート２１の親水処理を行っているが、例えば、不織布の保水率が前述の範囲内にあれば親水処理は必要ない。
【００２４】
外面シート２１の目付は、３０ｇ／ｍ２以上１００ｇ／ｍ２以下が好ましい。外面シート２１は、目付が３０ｇ／ｍ２より薄くなると保水量の低下に伴い、歯磨き剤の含浸量が低下するためである。また、外面シート２１は、吸水量や保水量の増加に伴い、歯磨き剤の含浸量が増すことにより、不織布シート２の単位面積当たりの歯垢などの除去率が増加する。しかしながら、目付が１００ｇ／ｍ２を超えると、外面シート２１の厚みが厚くなることにより、手に嵌めた時の感触がごわついて悪くなると共に、細かな作業ができず、歯垢が除去しにくくなるためである。
（内面シート２２）
【００２５】
内面シート２２は、歯磨きシート１の内面をなす指形状の不織布シート２で、外面シート２１に含浸させた歯磨き剤や唾液などが指に付着するのを妨げ、積層された外面シート２１と内面シート２２を接着させる部材である。
【００２６】
内面シート２２は、図１〜図５に示すように、外面シート２１と同一形状の第一内面シート２２１と第二内面シート２２２とからなるポリプロピレン１００ｗｔ％の不織布シート２である。内面シート２２は、ポリプロピレン１００ｗｔ％の不織布シート２の他、ポリプロピレン、ポリエチレン、ポリエステル、ナイロン、アクリルのうち少なくともいずれか１つを含む不織布シート２が使用できる。内面シート２２は、意図しない化学物質が使用者の体内に侵入するのを防止するため、スパンボンド不織布、又は、水流絡合不織布、サーマルボンド不織布が好ましい。
【００２７】
第一内面シート２２１及び第二内面シート２２２は、第一外面シート２１１及び第二外面シート２１２の内側に積層され、外面シート２１と指の形状に一体に融着されて挿入部４を形成すると共に、挿入部４から入れられた指が引き抜かれる方向に延伸され、第一内面シート２２１及び第二内面シート２２２が融着されておらず、歯磨きシート１装着時に掌側と手の甲側に分かれ、歯磨きシート１が指から抜けないよう挿入された指以外の指で挟持される挟持部５を形成する。
【００２８】
内面シート２２の繊維は、撥水（疎水）処理がされている。繊維を撥水処理する方法としては、通常採用されている方法でよい。例えば、繊維素材の片面に、化学気相成長法により、無機酸化物の蒸着膜を設けることにより、繊維素材の特徴である吸水性、保水性、風合い、通気性等の種々の特性を損なうことなく、繊維素材の片面に撥水効果を付与することができる（特開２０１２−２４６５８６号公報参照。）。なお、前述の実施形態では、内面シート２２の撥水処理を行っているが、例えば、不織布の保水率が前述の範囲内にあれば撥水処理は必要ない。
【００２９】
内面シート２２の保水率は、０ｗｔ％以上４００ｗｔ％以下が好ましい。保水率が４００ｗｔ％を大きく上回ると歯磨き剤や唾液により、手が濡れたり、汚れたりするためである。
【００３０】
内面シート２２の目付は、１５ｇ／ｍ２以上３０ｇ／ｍ２以下が好ましい。目付が１５ｇ／ｍ２を下回ると、外面シート２１に含浸させた歯磨き剤や唾液が外面シート２１から内面シート２２を通過して手に触れてベトつくので感触が悪くなり好ましくない。他方、目付が３０ｇ／ｍ２を超えると内面シート２２のごわつきが出るので感触が悪くなり、また、通気性が下がり、指が蒸れるので好ましくない。
【００３１】
なお、内面シート２２に代わり、外面シート２１が接着させる部材としての役割を担ってもよい。
（融着部３）
【００３２】
融着部３は、外面シート２１と内面シート２２とを接着すると共に、指が挿入部４に入れられる際には、指が歯磨きシート１の先端方向に挿入されるのを誘導することで、指を入れやすくし、融着部３の指先側先端と指とが接触した状態において、挿入部４から指が引き抜かれる方向に力が加えられた際には、指が融着部３の指先側先端に引っ掛かることで、挿入した指が歯磨きシート１から抜けないよう力を作用させる部材である。
【００３３】
融着部３は、図１〜図５に示すように、挿入部４に入れられた指を跨いで左右対称の位置に、指の引き抜かれる方向に向かって広がるよう、第一外面シート２１１、第一内面シート２２１、第二内面シート２２２、第二外面シート２１２の順に積層された不織布シート２が、ハの字形状に融着されて形成される。  融着部３の指先側先端が、挿入された指の関節近傍（指の付け根側）に位置するよう設けられた融着部３は、挿入部４から指が引き抜かれる方向に力が加えられた際に、融着部３の指先側先端が関節に引っ掛かることで、指が引き抜かれる方向に移動するのを妨害するよう力が働き、歯磨きシート１から指が抜けるのを好適に防ぐことができる。
【００３４】
例えば、平均的な成人を想定した場合、融着部３は、挿入部４の先端から、第一関節近傍である約２５ｍｍ〜４０ｍｍの位置や、第二関節近傍である約４５ｍｍ〜６０ｍｍの位置に１つ以上設けられるのが好ましい。
【００３５】
図１〜図２に示すように、融着部３は、指に沿うように複数設けられることにより、挿入部４としての役割を担うことができる。
【００３６】
融着方法は、使用する際に、内面シート２２と外面シート２１が外れない程度のシール強さとシール温度があればよい。例えば、少なくとも一方の外周面に所定パターンのシール突起が突出形成された一対のロールの間に熱融着可能な繊維シートを供給し、前記シール突起によって前記繊維シートを加熱し且つ加圧して、前記繊維シートに前記シール突起のパターンに対応した融着部３を形成するヒートシールする方法がある（特開２００７−２４５４５８号公報参照。）。
（挿入部４）
【００３７】
挿入部４は、指を挿入するための部材である。
【００３８】
挿入部４は、図１〜図５に示すように、第一内面シート２２１と第二内面シート２２２とが袋状に融着されて形成される。挿入部４の幅は、２０ｍｍ以上５０ｍｍ以下、好ましくは、指が太い使用者でも挿入しやすい４５ｍｍ程度の幅が好ましい。
【００３９】
なお、融着部３と、挿入部４とを別に形成する場合には、挿入部４の内側に融着部３を設けるようにする。
（挟持部５）
【００４０】
挟持部５は、挿入した指から歯磨きシート１が抜けないよう挟み持つための部材である。
【００４１】
挟持部５は、図１〜図５に示すように、外面シート２１及び内面シート２２の挿入部４から延伸された領域である。言い換えると、挟持部５は、外面シート２１及び内面シート２２からなり、内面シート２２同士が貼り合わされていない部位である。長さは、２０ｍｍ以上８０ｍｍ以下が好ましい。２０ｍｍより短いと持ちにくく、８０ｍｍより長いと使用時に手からはみ出し、邪魔になるためである。
【００４２】
挟持部５は、端部に沿って、第一外面シート２１１と第一内面シート２２１とが接合部６にて熱融着されて第一シートが形成され、併せて、第二内面シート２２２と第二外面シート２１２とが接合部６にて熱融着されて第二シートが形成されている。外面シート２１と内面シート２２との間に間違って指を挿入するのを防ぐことができると共に、第一シートと、第二シートとの間の挿入部４を容易に開けることができ、挟持しやすくできるからである。ここで、第一外面シート２１１と第一内面シート２２１とは、熱融着に限られず、例えば超音波融着で接合されていてもよい。また、接合部６は、挟持部５の端部に沿って直線状に接合されているが、これに限定されず、例えば、複数の箇所で点状に接合されていてもよい。言い換えると、外面シートと内面シートとの間に間違って指を挿入し易いよう、少なくとも当該シート間に形成される開口端の近傍において、第一外面シートと第一内面シートとが接合されているようにするとよい。なお、開口端は、歯磨きシート１が把持部５を有していない場合には、挿入部４の開口の端部を意味し、把持部５を有する場合には、把持部５の開口の端部を意味する。
【００４３】
なお、本実施例では外面シート２１及び内面シート２２が共に挟持部５の役割を担う場合について説明したが、外面シート２１のみ又は内面シート２２のみが挟持部５の役割を担ってもよく、挟持部５の役割を一方のシートのみが担う場合には、外面シート２１と内面シート２２とは、異なる形状であってもよい。
（歯磨き剤）
【００４４】
歯磨き剤は、外面シート２１に含浸させて、歯垢を落としやすくし、ユーザに清涼感を与えると共に、シートに防腐効果を付与するための部材である。
【００４５】
例えば、歯磨き剤は、水（基材）、ＰＧ（保湿剤）、ＰＥＧ−６０水添ヒマシ油（可溶化剤）、メチルパラベン（防腐剤）、エチルパラベン（防腐剤）、ブチルパラベン（防腐剤）、ベタイン（保湿剤）、グリセリン（保湿剤）、ヒアルロン酸Ｎａ（保湿剤）、グリチルリチン酸２Ｋ（矯味剤）、スクラロース（甘味剤）、サッカリンＮａ（甘味剤）、安息香酸Ｎａ（防腐剤）、セチルピリジニウムクロリド（防腐剤）、クエン酸（ｐＨ調整剤）、クエン酸Ｎａ（ｐＨ調整剤）を含むものが使用できる。
【００４６】
ただし、歯磨き剤は、上記の物に限られず、使用目的に合わせて調整した薬液成分を含有させることができる。
（変形例）
【００４７】
また、本発明に係る歯磨きシート１を示す模式正面図であって、実施例２を図６Ａに、実施例３を図６Ｂに、実施例４を図６Ｃに、実施例５を図６Ｄに、実施例６を図６Ｅに、実施例７を図６Ｆに、実施例８を図６Ｇに、実施例９を図６Ｈに示す。これらの図に示されているように、本発明に係る歯磨きシート１は、実施例１に記載された歯磨きシート１に限られない。特に図６Ａに示すように、ハの字形状の融着部３の端点同士を繋いだような形状に融着すると、第一シートと第二シートの接着を強くすることができる。また、図６Ｂ〜図６Ｅに示すように、挿入部４は、融着部３によって形成されていなくてもよく、融着部３は、挿入部４の内側に形成されていればよい。さらにまた、図６Ｅ〜図６Ｇに示すように、融着部３の内側に、さらに融着部３を設けてもよい。内側の融着部３の結合を弱くしておき、太い指を入れる場合には内側の融着部３の結合が外れるようにすることもできる。さらにまた、図６Ｈに示すように、融着部３は、半円状になっていてもよい。このように半円状とすることで、図６Ｈにおける半円の下部分では、ハの字に近い形状となり、指が引き抜かれにくい効果が得られると共に、滑らかな曲線部分が指と接触することになるため、使用者に対して、指を挿入する際も、指を引き抜く際も、違和感や不快感を与えず、滑らかな感触を与えることができる。
（製造手順）
【００４８】
まず、親水性の第一外面シート２１１及び第二外面シート２１２と、疎水性若しくは撥水性の第一内面シート２２１及び第二内面シート２２２を用意する。用意した不織布シート２を、第一外面シート２１１、第一内面シート２２１、第二内面シート２２２、第二外面シート２１２の順に積層する。
【００４９】
次に、第一外面シート２１１と第一内面シート２２１とを挟持部５で熱融着させて第一シートを形成し、併せて、第二内面シート２２２と第二外面シート２１２とを挟持部５で熱融着させて第二シートを形成する。
【００５０】
さらに、第一シートと第二シートとを融着部３と指形状の挿入部４が形成されるよう熱融着し、ロールカッターで、指形状に切断する。
【００５１】
最後に、切断された歯磨きシート１を袋詰めし、歯磨きシート１が入れられた袋に歯磨き剤を注入し、歯磨き剤を歯磨きシート１に含浸させる。
（使用方法）
【００５２】
本発明に係る歯磨きシート１の実施例１の使用例を示す図を図７に示す。この図に示すように、挿入部４に人差し指を差し込み、掌側の挟持部５を親指又は中指で押さえ、歯や口腔内全体の汚れを拭き取る。使用中の歯磨きシート１の表面が汚れてきたら、掌側と手の甲側を入れ替え、同様に歯や口腔内全体の汚れを拭き取る。口腔内の清掃とあわせて、口腔内のマッサージを行えば、血行が改善し、歯槽膿漏や歯周病の予防ができる。また、認知症の予防や糖尿病の改善にも寄与できる。
（保水率の評価試験）
【００５３】
外面シート及び内面シートとして本実施形態で提示した材料であって、且つ、該材料の目付が本実施形態で要求される範囲内の実測値を示す場合に、保水率の実測値が本実施形態で要求される範囲内にあるかを調べるために、保水率の評価試験を行った。外面シート及び内面シートとして、成分、目付が図８の表に示す不織布を用い、下記の測定方法によって保水率を測定した。外面シートの試料は、サンプル１〜サンプル４の４種類作成した。また、内面シートは、サンプル５〜サンプル８の４種類作成した。
（測定方法）
【００５４】
保水率の測定は、ＪＩＳ  Ｌ１９１３により行った。前述の不織布から１００ｍｍ×１００ｍｍの試験片を３枚採取し、適切な大きさの容器に水を入れ、試験片を１５分間以上浸せきし、ピンセットで試験片を水中から取り出して１分間以上水をしたたり落とした後、その質量を１ｍｇまで測定した。その後、次の式によって保水率を算出し、さらにその平均値を求め、ＪＩＳ  Ｚ８４０１の規則Ｂ（四捨五入法）によって小数点以下１けたに丸めた。
ｍ＝（ｍ２−ｍ１）／ｍ１×１００
ｍ：保水率（ｗｔ％）
ｍ１：試験片の標準状態での質量（ｍｇ）
ｍ２：試験片を湿潤し、水をしたたり落とした後の質量（ｍｇ）
（保水率の評価）
【００５５】
表１は、前述した外面シート及び内面シートの保水率の評価試験の結果を示している。
【表１】
2019010251.tif 000003
【００５６】
前述したように、外面シートの保水率は、６００ｗｔ％以上１５００ｗｔ％以下であることが要求されるところ、表１に示すように、要求される数値範囲内の値となった。また、内面シートの保水率は、０ｗｔ％以上４００ｗｔ％以下であることが要求されるところ、表１に示すように、要求される数値範囲内の値となった。
（歯磨きシートの使用感に関する評価試験）
【００５７】
続いて、本発明に係る歯磨きシート１の使用感を調べるため、市販の口腔ケアウェットティッシュ（サンプル９と称す。）、指を引き抜く際のストッパーとして機能する融着部３を有さない歯磨きシート（サンプル１０と称す。）、指を引き抜く際のストッパーとして機能する融着部３を有する、実施例９の態様に成形した歯磨きシート（サンプル１１と称す。）の三種類のサンプルを作製し、それらのサンプルを、守秘義務を課したユーザに、使用して貰い、（１）清掃のし易さ、（２）指の抜け難さ、（３）総合評価、の３つの観点から、五段階で評価してもらい、３０人分の統計データを得た。
【００５８】
（１）の清掃のし易さについては、最も清掃し易い場合を５、最も清掃し難い場合を１とし、（２）の指の抜け難さについては、最も抜け難い場合を５、最も抜け易い場合を１とし、（３）の総合評価については、（１）及び（２）に加え、指のフィット感・口腔内での感触等も含めて、総合的に良い場合を５、悪い場合を１としている。
（歯磨きシートの使用感の評価）
【００５９】
表２は、前述したサンプル９〜サンプル１１に係る歯磨きシートの使用感の統計データを示している。
【表２】
2019010251.tif 000004
【００６０】
表２に示すように、サンプル９に比べて、サンプル１０及びサンプル１１は（１）〜（３）のいずれの観点でも良い結果となっており、材料、目付、保水率を適正化することで、使用感が向上することが実証できた。また、サンプル１０とサンプル１１とを対比すると、サンプル１１の方が（１）〜（３）のいずれの観点でも良い結果となっており、指を引き抜く際のストッパーとして機能する融着部３の存在によって、使用感が向上することが実証できた。
【産業上の利用可能性】
【００６１】
本発明に係る歯磨きシートは、口腔内の清掃及びマッサージに使用される口腔内清掃用具として好適に使用できる。
【符号の説明】
【００６２】
１…歯磨きシート
２…不織布シート
２１…外面シート、２１１…第一外面シート、２１２…第二外面シート、２２…内面シート、２２１…第一内面シート、２２２…第二内面シート
３…融着部
４…挿入部
５…挟持部
６…接合部
１０１…指サック式摺擦具
１０２…指サック部
１０３…係止部
１０４…係止口
２０１…口腔清掃具
２０２…主生地
２０３…従生地
２０４…鞘部
２０５…スリット
【図１】
2019010251.tif 000005
【図２】
2019010251.tif 000006
【図３】
2019010251.tif 000007
【図４】
2019010251.tif 000008
【図５】
2019010251.tif 000009
【図６】
2019010251.tif 000010
【図７】
2019010251.tif 000011